(57)【要約】【課題】ヘルプ画面を表示させて参照した設定項目の設定内容を、使用者に確認させ、設定ミスをなくし、設定ミス状態のままでのジョブの実行を防ぐ。【解決手段】画像形成装置は、画像を形成する画像形成部と、表示を行う表示部と、呼び出すことにより予め選択、登録された設定項目を設定するための設定画面を表示部に表示させるプログラムを記憶する記憶部と、設定項目の設定等を受け付ける入力部と、ヘルプ画面を表示部に表示させるためのヘルプキーと、備え、プログラムによる設定においてヘルプキーが押された場合、表示部は、ヘルプ画面が参照された設定項目である参照設定項目の処理がなされる前に、参照設定項目の現在の設定で処理を行ってよいか確認するための確認画面を表示する。【選択図】図１３
2011223051.tif 000002
【特許請求の範囲】
【請求項１】
画像を形成する画像形成部と、
表示を行う表示部と、
予め複数の機能の設定項目の中から選択され、登録された前記設定項目の組み合わせであり、呼び出すことにより予め選択、登録された前記設定項目を設定するための設定画面を前記表示部に表示させるプログラムを記憶する記憶部と、
前記設定項目の設定や、ジョブの開始指示を受け付ける入力部と、
押されることにより前記設定項目の設定のヘルプ画面を前記表示部に表示させるためのヘルプキーと、備え、
呼び出された前記プログラムによる設定において、前記ヘルプキーが押された場合、
前記表示部は、前記入力部に対しジョブの開始指示がなされた後、前記ヘルプキーが押されて前記ヘルプ画面が参照された前記設定項目である参照設定項目の処理がなされる前に、前記参照設定項目の現在の設定で処理を行ってよいか確認するための確認画面を表示することを特徴とする画像形成装置。
【請求項２】
前記表示部は、前記確認画面に前記参照設定項目の設定をやり直すための再設定ボタンを表示し、前記入力部への入力により前記再設定ボタンが選択されると、前記参照設定項目の前記設定画面を表示することを特徴とする請求項１記載の画像形成装置。
【請求項３】
前記表示部は、前記確認画面に、少なくとも、前記参照設定項目の処理が施された場合の仕上がりを示すイメージ画像を表示することを特徴とする請求項１又は２に記載の画像形成装置。
【請求項４】
前記表示部は、前記確認画面に前記参照設定項目の現在の設定を示すメッセージを表示することを特徴とする請求項１乃至３のいずれか１項に記載の画像形成装置。
【請求項５】
前記画像形成部によって形成された画像が印刷された印刷済み用紙を受け入れ、後処理を行う後処理装置を備え、
前記プログラムには、前記後処理装置の機能に関する設定項目が含まれ、
前記参照設定項目が前記後処理装置に関する設定項目である場合、
前記画像形成部は、印刷開始後、前記後処理装置が前記後処理装置の前記参照設定項目を実行する前に、画像形成を一時停止し、
前記表示部は、前記画像形成部が一時停止した状態で、前記後処理装置の前記参照設定項目の現在の設定で処理を行ってよいか確認するための確認画面を表示することを特徴とする請求項１乃至４のいずれか１項に記載の画像形成装置。
【発明の詳細な説明】
【技術分野】
【０００１】
本発明は、表示部やタッチパネル等の入力部を有する複写機、複合機、プリンタ、ＦＡＸ装置等の画像形成装置に関する。
【背景技術】
【０００２】
複写機、複合機等の画像形成装置は、設定したい機能（例えば、拡大縮小、集約印刷、両面印刷、画像データの送信等）を簡易に選び設定を行えるように、例えば、液晶表示部やタッチパネルを備えることがある。しかし、画像形成装置には、より多くの機能を搭載しようとする傾向があり、搭載機能が多種にわたるため、機能の設定方法だけではなく、機能の具体的な内容（どのような機能が実現されるか）を把握しづらい場合がある。そのため、例えば、特許文献１には、表示部に設定方法等を示す画面（ヘルプ画面）を表示する電子機器が記載されている。
【０００３】
具体的に、特許文献１には、各機能に対応する表示要素等を表示する表示部と、ヘルプガイド情報を記憶する記憶部と、ユーザによる所定の操作を受ける操作部と、所定の第１操作を受けるとヘルプガイド情報を記憶部から読み出し表示部に表示させ、ヘルプ情報表示状態で所定の第２操作を受けるとヘルプガイド情報に対応する機能を選択・設定する制御部と、を具備する電子機器が記載されている。この構成により、ユーザの所望の機能についてヘルプガイド情報を表示した状態から直接に該当の機能を選択・設定できるようにする（特許文献１：請求項１、段落［００１２］、図２等参照）。
【先行技術文献】
【特許文献】
【０００４】
【特許文献１】特開２００５−２３４６４５号公報
【発明の概要】
【発明が解決しようとする課題】
【０００５】
一般に、画像形成装置では、予め頻繁に組み合わせて使用する複数の機能（設定項目）を選んでプログラムとして登録しておけるようにすることがある。そして、登録したプログラム（「ワークフロー」と呼ばれることがある。）を呼び出すことで、予め選択した複数の設定項目に対し、一連に、一括して設定できるようにする場合がある。
【０００６】
画像形成装置が導入されたばかりで設定自体に習熟していない場合や、他人が作成したワークフローを用いるため、ワークフローに含まれる設定項目の具体的な内容に精通していない場合がある。そこで、ワークフローを用いた設定でも、ヘルプキーを押下する等によりヘルプ画面を表示させることが考えられる。これにより、使用者は、ヘルプ画面を参照しつつ、ワークフローに含まれる一連の設定項目の設定を行える。
【０００７】
しかし、特に、ヘルプ画面を参照した設定項目では、使用者の想定とは異なる設定がなされている可能性がある。言い換えると、設定ミスの可能性が高いという問題がある。そして、使用者の想定と異なる設定のままジョブが実行されれば、ジョブが無駄になり得るという問題もある。
【０００８】
ここで、特許文献１記載の発明は、確かに、ヘルプを表示した状態から直接機能を設定でき、利便性が高い。しかし、特許文献１記載の発明では、ジョブ実行に際し、ヘルプを参照した機能の設定に対し、使用者への確認は行われない。そのため、設定ミスの状態のまま、ジョブが実行される場合があり、特許文献１記載の発明は、上記の問題を解決できない。
【０００９】
本発明は、ヘルプ画面を表示させて参照した設定項目の設定内容を、ジョブの実行に際して、使用者に確認させ、使用者の想定と異なるという設定ミスをなくし、設定ミス状態のままでのジョブの実行を防ぐことを課題とする。
【課題を解決するための手段】
【００１０】
上記課題解決のため請求項１に係る画像形成装置は、画像を形成する画像形成部と、表示を行う表示部と、予め複数の機能の設定項目の中から選択され、登録された前記設定項目の組み合わせであり、呼び出すことにより予め選択、登録された前記設定項目を設定するための設定画面を前記表示部に表示させるプログラムを記憶する記憶部と、前記設定項目の設定や、ジョブの開始指示を受け付ける入力部と、押されることにより前記設定項目の設定のヘルプ画面を前記表示部に表示させるためのヘルプキーと、備え、呼び出された前記プログラムによる設定において、前記ヘルプキーが押された場合、前記表示部は、前記入力部に対しジョブの開始指示がなされた後、前記ヘルプキーが押されて前記ヘルプ画面が参照された前記設定項目である参照設定項目の処理がなされる前に、前記参照設定項目の現在の設定で処理を行ってよいか確認するための確認画面を表示することとした。
【００１１】
この構成によれば、参照設定項目の処理がなされる前に、参照設定項目の現在の設定で処理を行ってよいか確認するための確認画面が表示される。これにより、ジョブの実行に際し、使用者は、参照設定項目の設定内容を確認することができる。従って、使用者は設定ミスがあるか否かを確認することができる。又、設定ミスのままジョブが行われるというミスもなくすことができる。
【００１２】
又、請求項２に係る発明は、請求項１の発明において、前記表示部は、前記確認画面に前記参照設定項目の設定をやり直すための再設定ボタンを表示し、前記入力部への入力により前記再設定ボタンが選択されると、前記参照設定項目の前記設定画面を表示することとした。
【００１３】
この構成によれば、確認画面に参照設定項目の設定をやり直すための再設定ボタンが表示され、再設定ボタンが選択されると、参照設定項目の設定画面が表示される。これにより、使用者は、確認画面で設定ミスを確認した場合、直ちに参照設定項目の再設定を行うことができる。従って、設定を最初からやり直したり、プログラムの流れをさかのぼり、目的とする参照設定項目の設定画面にたどり着くための入力を行ったりするといった手間、時間が必要なく、参照設定項目の再設定を簡易に行うことができる。
【００１４】
又、請求項３に係る発明は、請求項１又は２の発明において、前記表示部は、前記確認画面に、少なくとも、前記参照設定項目の処理が施された場合の仕上がりを示すイメージ画像を表示することとした。
【００１５】
この構成によれば、確認画面に、少なくとも、参照設定項目の処理が施された場合の仕上がりを示すイメージ画像が表示される。これにより、使用者は、実際の仕上がりを視認することができる。従って、設定ミスがあるか否かを視覚的に判断することができ、設定ミスの有無の判断が容易になる。
【００１６】
又、請求項４に係る発明は、請求項１乃至３の発明において、前記表示部は、前記確認画面に前記参照設定項目の現在の設定を示すメッセージを表示することとした。
【００１７】
ヘルプ画面が参照された場合、使用者は参照設定項目の内容に精通していないものであり、参照設定項目でいかなる設定を行ったか、記憶しづらいものであるところ、この構成によれば、確認画面に参照設定項目の現在の設定を示すメッセージが表示される。これにより、使用者は、現在の設定内容を文字の情報により確認することができる。従って、使用者は、設定ミスがあるか否かを判断できる。
【００１８】
又、請求項５に係る発明は、請求項１乃至４の発明において、前記画像形成部によって形成された画像が印刷された印刷済み用紙を受け入れ、後処理を行う後処理装置を備え、前記プログラムには、前記後処理装置の機能に関する設定項目が含まれ、前記参照設定項目が前記後処理装置に関する設定項目である場合、前記画像形成部は、印刷開始後、前記後処理装置が前記後処理装置の前記参照設定項目を実行する前に、画像形成を一時停止し、前記表示部は、前記画像形成部が一時停止した状態で、前記後処理装置の前記参照設定項目の現在の設定で処理を行ってよいか確認するための確認画面を表示することとした。
【００１９】
画像形成装置は、印刷済み用紙を受け入れ、ステープル等の後処理を行う後処理装置を備えることがある。この後処理装置では、印刷済み用紙に対し処理を行うので、後処理装置での処理に関しては、印刷のジョブ開始後に確認を行ってもよい場合がある。そこで、この構成によれば、画像形成部が一時停止した状態で、参照設定項目の現在の設定で後処理装置の処理を行ってよいか確認するための確認画面が表示される。これにより、後処理装置で実際に後処理がなされる直前に、後処理装置に関する参照設定項目の確認を行うことができる。
【発明の効果】
【００２０】
上述したように、ジョブの実行に際し、使用者は、ヘルプ画面を表示させて参照した設定項目の設定内容を確認できる。これにより、想定と異なる設定ミスがあるかを容易に確認することができる。そして、使用者の意図と異なる処理がなされることをなくすことができ、無駄なジョブが実行されることをなくすことができる。
【図面の簡単な説明】
【００２１】
【図１】第１の実施形態に係る複合機の一例を示す正面模型的断面図である。
【図２】第１の実施形態に係る後処理装置の一例を示す正面模型的断面図である。
【図３】第１の実施形態に係る操作パネルの一例を示す平面図である。
【図４】第１の実施形態に係る複合機のハードウェア構成の一例を示すブロック図である。
【図５】ワークフローを選ぶ際の呼出画面の一例を示す説明図である。
【図６】ワークフローをウィザード形式で表示した際の流れの一例を示す説明図である。
【図７】ワークフローをメニュー形式で表示した際のメニュー画面の一例を示す説明図である。
【図８】ワークフローの作成、登録の流れの一例を示すフローチャートである。
【図９】コピーに関するワークフロー作成における設定項目の選択画面の一例を示す説明図である。
【図１０】送信に関するワークフロー作成における設定項目の選択画面の一例を示す説明図である。
【図１１】作成されたワークフローの名称入力画面の一例を示す説明図である。
【図１２】ワークフローを呼び出す際の表示形式を定めるため表示形式決定画面の一例を示す説明図である。
【図１３】ワークフローを呼び出した際に表示されるヘルプ画面の一例を示す説明図である。
【図１４】ワークフローでヘルプ画面を参照した際に表示される確認画面の一例を示す説明図である。
【図１５】第１の実施形態に係る表示制御の一例を示すフローチャートである。
【図１６】第２の実施形態に係る表示制御の一例を示すフローチャートである。
【発明を実施するための形態】
【００２２】
以下、本発明の第１の実施形態を図１〜図１５を用いて説明する。本実施形態では、複合機１００（画像形成装置に相当）を例に挙げて説明する。但し、本実施の形態に記載されている構成、配置等の各要素は、発明の範囲を限定するものではなく単なる説明例にすぎない。
【００２３】
（画像形成装置の概略）
まず、図１を用いて、本発明の第１の実施形態に係る複合機１００の概略を説明する。図１は本発明の第１の実施形態に係る複合機１００の一例を示す正面模型的断面図である。図２は、本発明の第１の実施形態に係る後処理装置２の一例を示す正面模型的断面図である。
【００２４】
図２に示すように、本実施形態の複合機１００（画像形成装置に相当）は、左側面に取り付けられたオプション装置としての後処理装置２を含む。後処理装置２は、複合機１００が印刷した用紙を取り込み、ステープル処理等の各種処理を行う。又、複合機１００の正面前方には、複合機１００に関して各種設定を行うための操作パネル１が設けられる（詳細は後述）。
【００２５】
図１に示すように、本実施形態の複合機１００は、上部に、画像読取部３と原稿搬送装置４が設けられる。複合機１００は、本体内部に、給紙部５ａ、搬送路５ｂ、画像形成部６、中間転写部７ａ、定着部７ｂ、排出搬送部８ａ、両面搬送路８ｂ等を備える。
【００２６】
原稿搬送装置４は、読み取る原稿を載置する原稿トレイ４１を有する。そして、原稿搬送装置４は、原稿トレイ４１から原稿を１枚ずつ、自動的に連続して読取位置（送り読取用コンタクトガラス３１）に搬送する。又、原稿搬送装置４は、図１の紙面奥側を支点として画像読取部３に上下方向に開閉自在に取り付けられ、画像読取部３のコンタクトガラス（送り読取用コンタクトガラス３１及び載置読取用コンタクトガラス３２）を上方から押さえるカバーとして機能する。
【００２７】
次に、画像読取部３は、図１に示すように、上面に送り読取用コンタクトガラス３１と、書籍等の原稿を１枚ずつ読み取る際に原稿を載置する載置読取用コンタクトガラス３２が配される。画像読取部３内には、ランプ、ミラー、レンズ、イメージセンサ等（不図示）が配される。イメージセンサは、送り読取用コンタクトガラス３１を通過する原稿、あるいは、載置読取用コンタクトガラス３２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部３は、カラーでも読み取り可能であり、白黒でも読み取り可能である。
【００２８】
複合機１００本体内の複数の給紙部５ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部５ａは、それぞれ回転駆動する給紙ローラ５１を備え、印刷時、１枚ずつ搬送路５ｂに用紙を送り込む。
【００２９】
搬送路５ｂは、給紙部５ａから画像形成部６まで、装置内で用紙を搬送する通路である。そして、搬送路５ｂには、用紙の案内のためのガイド板や、用紙搬送時に回転駆動する搬送ローラ対５２（図３おいて、上方から５２Ａ、５２Ｂ、５２Ｃの計３つ）や、搬送される用紙を画像形成部６の手前で待機させ、形成されたトナー像の転写タイミングに合わせ用紙を送り出すレジストローラ対５３等が設けられる。
【００３０】
画像形成部６は、複数の画像形成ユニット６０（ブラック用の６０Ｂｋ、イエロー用の６０Ｙ、シアン用の６０Ｃ、マゼンタ用の６０Ｍ）と露光装置６１を含む。露光装置６１は、画像読取部３で読み取られた画像データや後述の記憶装置９２に記憶される画像データ等に基づき、レーザ光を点消灯しつつ出力し、各感光体ドラムを走査露光する。画像形成ユニット６０は、回転駆動可能に支持された感光体ドラムや、感光体ドラムの周囲に配設された帯電装置、現像装置、清掃装置等を備える。そして、各画像形成ユニット６０と露光装置６１によって、感光体ドラムの周面上にトナー像が形成される。
【００３１】
中間転写部７ａは、各画像形成ユニット６０からトナー像の１次転写を受け、シートに２次転写を行う。中間転写部７ａは、各１次転写ローラ７１Ｂｋ〜７１Ｍ、中間転写ベルト７２、駆動ローラ７３、複数の従動ローラ７４、２次転写ローラ７５、ベルト清掃装置７６等で構成される。各１次転写ローラ７１Ｂｋ〜７１Ｍは、対応する感光体ドラムと無端状の中間転写ベルト７２を挟み込む。各１次転写ローラ７１Ｂｋ〜７１Ｍには、転写用電圧が印加され、トナー像は中間転写ベルト７２に転写される。
【００３２】
中間転写ベルト７２は、駆動ローラ７３等に張架され、モータ等の駆動機構（不図示）に接続される駆動ローラ７３の回転駆動により周回する。中間転写ベルト７２は、又、駆動ローラ７３は、２次転写ローラ７５とで中間転写ベルト７２を挟み込む。各画像形成ユニット６０で形成されたトナー像（ブラック、イエロー、シアン、マゼンタの各色）は、順次、ずれなく重畳して中間転写ベルト７２に１次転写された後、所定の電圧を印加された２次転写ローラ７５により、シートに転写される。
【００３３】
定着部７ｂは、用紙に転写されたトナー像を定着させる。定着部７ｂは、主として、発熱体を内蔵する加熱ローラ７７とこれに圧接する加圧ローラ７８で構成される。そして、用紙が、加熱ローラ７７と加圧ローラ７８のニップを通過すると、トナーが溶融・加熱され、トナー像が用紙に定着する。定着部７ｂから排出された用紙は、排出トレイ８１又は後処理装置２方向に送られる。
【００３４】
排出搬送部８ａは、印刷済の用紙を後処理装置２方向、排出トレイ８１方向、両面搬送路８ｂ方向への用紙搬送方向を仕分ける。そして、排出搬送部８ａには、用紙を後処理装置２に向けて送り出す排出ローラ対８２と、排出トレイ８１方向に送り出す、或いは、両面印刷のため逆回転しスイッチバックを行う排出ローラ対８３を有する。各排出ローラ対８２、８３は、回転駆動する。又、排出搬送部８ａは、用紙の搬送方向を切り替えるため、例えば、２つの切替弁８４、８５を有する。各切替弁８４、８５は回動し、操作パネル１等で指定された排出先に導き、或いは、両面印刷の際、片面印刷済みの用紙を両面搬送路８ｂに導く。
【００３５】
両面搬送路８ｂは、定着部７ｂの下流側と、レジストローラ対５３の上流側とを結ぶ。両面搬送路８ｂには、両面印刷のため、回転駆動する複数の両面搬送ローラ対８６（８６Ａ、８６Ｂ、８６Ｃの計３つ）が設けられ、片面印刷済の用紙が搬送される。
【００３６】
一方、図２に示すように、後処理装置２内には、用紙束を一時的に蓄えるスタック部２１、穿孔処理を行うパンチ部２２、スタック部２１の用紙束に対し、ステープル処理を行うステープル部２３（スタック方向から見て用紙先端側をステープル）、ステープル部２４（用紙後端側をステープル）、中折ユニット２５などが備えられる。スタック部２１は複数枚の用紙を積み重ねて束とする処理を行う。中折ユニット２５は、中綴じステープル部２５１を含み、中綴じステープル部２５１による処理により中央綴じされた用紙束を中央でステープルに沿って折り曲げる。
【００３７】
具体的に、後処理装置２での各処理を説明する。まず、複合機１００から後処理装置２に向けて排出された印刷済用紙は、後処理装置２の側面に設けられた搬入口２６を通って後処理装置２内に搬入される。又、搬入口２６の下流には、パンチ部２２が設けられる。パンチ部２２は、用紙に穿孔処理を行う。そして、パンチ部２２の下流には、回転駆動して用紙を搬送する搬送ローラ対２７Ａ、２７Ｂと、用紙の搬送先にあわせて回動する案内爪２８が設けられる。操作パネル１への入力等で、ステープル処理等を行う選択されている場合、案内爪２８は用紙を案内爪２８下方のスタック部２１に送り込むように回動する。その結果、用紙は、スタック部２１に向けて搬送される。
【００３８】
一方、穿孔処理やステープル処理等を行う選択がなされていない場合（後処理装置２で何ら処理を行わせない場合）や、操作パネル１で排出先を副排出トレイ２１０に設定した場合など、案内爪２８は、例えば、用紙を案内爪２８の上方の排出ローラ対２９に送り込むように回動する。その結果、用紙は、排出ローラ対２９から、副排出トレイ２１０に排出される。
【００３９】
スタック部２１はカバートレイ２１Ａ及びスタックトレイ２１Ｂからなる。そして、搬送されてきた用紙は、カバートレイ２１Ａとスタックトレイ２１Ｂとの間に通される。用紙はスタックトレイ２１Ｂの上面に積み重ねられる。カバートレイ２１Ａは、用紙束を上方から押さえるカバーとして機能する。スタックトレイ２１Ｂには、搬送されてきた用紙を受け止めるストッパ２１Ｃが設けられる。ストッパ２１Ｃは上下動し、スタックされた用紙束を上方、又は、下方に搬送する。
【００４０】
そして、スタック部２１に付随して、用紙の先端側（スタックされた用紙の下方側）をステープルするステープル部２３と、用紙の後端側（スタックされた用紙の上方側）をステープルするステープル部２４が設けられる。各ステープル部２３、２４は、例えば、用紙束の先端の一方の隅を斜め４５°に１箇所綴じる斜め綴じなどを行う。そして、スタック部２１は、ステープル処理等が施された用紙束を上方へと搬送し、主排出トレイ２１１に排出する。
【００４１】
スタック部２１の下方に、中折ユニット２５が配置される。操作パネル１への入力等で、折曲処理が選択されている場合、スタック部２１で一旦スタックされた用紙束は、中折ユニット２５に向けて搬送される。中綴じステープル部２５１は、用紙束の長手方向の中央を短手方向に沿って、例えば、２箇所ステープルで綴じる中央綴じ等を行える。中央綴じされた用紙束は、中折ユニット２５の突出棒２５２で折り曲げられた後、ブックレットトレイ２５３に排出される。
【００４２】
（操作パネル１）
次に、図３を用いて、本発明の第１の実施形態に係る操作パネル１の一例を説明する。図３は本発明の第１の実施形態に係る操作パネル１の一例を示す平面図である。
【００４３】
操作パネル１は、図１及び図３に示すように、複合機１００の正面上方に設けられ、複合機１００や後処理装置２の設定や動作指示を与えるためのメニューやキー（図５等参照）や複合機１００等の状態メッセージＭ等の各種画像、画面を表示する液晶表示部１１（表示部に相当）を有する。使用者は、液晶表示部１１に表示されたキーを押下して、複合機１００のコピーにおける各種設定や、後処理装置２の設定や動作指示を行える。例えば、使用者は後処理装置２でステープル処理を行う指示や用紙の排出先を設定入力できる。
【００４４】
又、液晶表示部１１の上面にタッチパネル部１２（入力部に相当）が設けられ、タッチパネル部１２は、使用者が液晶表示部１１に押下した部分の位置、座標を検出するためのものである。このタッチパネル部１２を用いた検出座標と、液晶表示部１１に示される各種キーの位置、座標を比較し、使用者が押下して選択したキーが特定される。尚、タッチパネル部１２としては、抵抗膜方式、表面弾性波方式、赤外線方式、静電容量方式等、各方式のものを採用でき特に制限はない。
【００４５】
又、操作パネル１には、以下のような入力部であり、ハードとしてのキー（ボタン）が設けられる。例えば、数字入力用のテンキー部１３や、各種設定後、コピー等の処理開始指示用のスタートキー１４等が設けられる。又、コピー機能を利用する際に押下されるコピーキー１５、スキャナ機能、ＦＡＸ機能を利用する際に押下される送信キー１６等が設けられる。又、ワークフローの作成、登録やワークフローの呼び出しの際に押下されるワークフローキー１７（入力部に相当）も設けられる（詳細は後述）。このように、操作パネル１には、タッチパネル部１２や各種ハードキーが備えられ、複合機１００の各機能について、各種設定、モード選択等を行う入力部として機能する。
【００４６】
（複合機１００等のハードウェア構成）
次に、図４を用いて、本発明の第１の実施形態に係る複合機１００等のハードウェア構成の一例を説明する。図４は、本発明の第１の実施形態に係る複合機１００等のハードウェア構成の一例を示すブロック図である。
【００４７】
まず、複合機１００の本体側から説明する。複合機１００本体内には、制御部９が設けられる。制御部９は、例えば、操作パネル１、原稿搬送装置４、画像読取部３、給紙部５ａ、搬送路５ｂ、画像形成部６、定着部７ｂ、排出搬送部８ａ等と接続され、これらの制御を行う。
【００４８】
制御部９は、例えば、ＣＰＵ９１等の素子を含む。ＣＰＵ９１は記憶装置９２（記憶部に相当）に格納され、展開される制御プログラムに基づき演算等を行い、複合機１００の各部を制御する。尚、制御部９は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部をまとめた形態を示し、説明する。
【００４９】
記憶装置９２は、制御部９と接続される。記憶装置９２は、ＲＯＭ、ＲＡＭ、ＨＤＤ等の不揮発性と揮発性の記憶装置９２を組み合わせて構成される。記憶装置９２は、複合機１００の制御用プログラム、制御用データ、設定データ、画像データ等の各種データを記憶できる。又、特に、本発明に関し、記憶装置９２は、作成したワークフロー（プログラムに相当）を記憶できる。尚、ワークフローとは、予め複数の設定項目の中から選択され、登録された設定項目の組み合わせであり、呼び出すことにより予め選択、登録された設定項目を設定するための画面を表示部に表示させるプログラムである。
【００５０】
そして、制御部９は、各種コネクタ、ソケットやＦＡＸモデム等を備えたインターフェイス部（以下、Ｉ／Ｆ部９３）と接続される。Ｉ／Ｆ部９３はネットワークや公衆回線等により複数の外部のコンピュータ２００（例えば、パーソナルコンピュータ）や相手方ＦＡＸ装置３００（図７では、いずれも便宜上１つのみ図示）と接続される。例えば、画像読取部３で得られた画像データを記憶装置９２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００５１】
又、制御部９は、操作パネル１になされた入力を認識し、使用者の設定にあわせてコピー等が行われるように複合機１００を制御する。操作パネル１で、後処理装置２を利用してステープルを行う設定や、副排出トレイ２１０に排出させる設定がなされると、例えば、制御部９は、排出搬送部８ａを制御し、印刷済用紙が後処理装置２に向けて搬送されるように、切替弁８４、８５を回動させる。
【００５２】
又、例えば、制御部９には、画像読取部３で原稿を読み取って得られた画像データやＩ／Ｆ部９３を介して複合機１００に入力された画像データに対し、画像処理を施す画像処理部９４が設けられる。例えば、画像処理部９４は、後述するページ番号付けの設定がなされた場合、ページ番号の位置や表示形態等の設定にあわせ、画像データにページ番号に付す処理を行う。画像処理部９４が処理した画像データは、例えば、露光装置６１に送信され、感光体ドラムの走査・露光に用いられる。
【００５３】
又、制御部９は、後処理装置２内に設けられ、後処理装置２の動作の制御を行う後処理制御部２０と通信可能に接続される。例えば、後処理制御部２０は、制御部９の指示に基づき、パンチ部２２やステープル部２３、２４等の動作を制御する。例えば、例えば、後処理制御部２０は、案内爪２８を回動させるモータの回転を制御する。そして、後処理制御部２０は、制御部９からの指示にあわせ（例えば、副排出トレイ２１０や主排出トレイ２１１への排出や、穿孔処理のためにスタック部２１への搬送等）、後処理装置２内のモータを正逆回転させ、用紙の搬送方向を制御する。
【００５４】
本実施形態の操作パネル１は、表示制御部１０、メモリ１８（記憶部に相当）、ドライバ回路１９、液晶表示部１１、タッチパネル部１２を有する。表示制御部１０は、ＣＰＵやＩＣ等で構成され、液晶表示部１１の表示を制御し、タッチパネル部１２の出力を受け、液晶表示部１１で押下された座標を特定する。タッチパネル部１２の出力と座標の対応を示すテーブル等のデータは、メモリ１８に記憶される。表示制御部１０は、押下位置の座標と、各設定画面Ｓの画像データを比較する等により、設定画面Ｓ上で選択された（押下された）キーを特定、認識する。
【００５５】
具体的に、複合機１００の各機能の設定項目を選択し、設定値を設定するには、液晶表示部１１における最上層の表示から、液晶表示部１１に表示されるキーの選択を繰り返す。そして、キー選択ごとに、表示制御部１０は、液晶表示部１１の表示を切り換えさせ、最終的に、選択、設定しようとする機能の設定値が設定される。この機能の選択、設定が行われたことを表示制御部１０は認識し、その内容を本体の制御部９に送信する。これにより、操作パネル１で選択、設定された機能を反映した動作を制御部９が、画像形成部６等の各部に行わせ、使用者の意思が、印刷等において反映される（例えば、濃度設定や拡大縮小など）。
【００５６】
そして、液晶表示部１１が表示する画面、画像の画像データは、例えば、操作パネル１内のメモリ１８に記憶される。従って、表示制御部１０は、設定項目の選択画面Ｔや各設定画面Ｓ中のキーが押下されるごとに、表示制御部１０は、次に表示すべき画面の画像データをメモリ１８から読み出す。
【００５７】
又、液晶表示部１１が表示する画面、画像の画像データは、例えば、本体側の記憶装置９２に記憶させてもよい。この場合、操作パネル１は、液晶表示部１１で表示を行うための画像データを、制御部９を介し、記憶装置９２から受信する。この画像データを受け、表示制御部１０は、液晶画面の表示を実際に制御するドライバ回路１９に指示を与える。尚、操作パネル１には、表示制御部１０やメモリ１８を設けず、表示制御部１０、メモリ１８の機能を制御部９の構成（ＣＰＵ９１や記憶装置９２）に代用させても良い。
【００５８】
（ワークフローの呼出、利用の概要）
次に、図５〜図７を用いて、本発明の第１の実施形態に係るワークフローの概要とワークフローの呼出、利用の一例を説明する。図５は、本発明の第１の実施形態に係るワークフローを選ぶ際の呼出画面Ｗ１の一例を示す説明図である。図６は、ワークフローをウィザード形式で表示した際の流れの一例を示す説明図である。図７は、ワークフローをメニュー形式で表示した際のメニュー画面Ｗ２の一例を示す説明図である。
【００５９】
本実施形態の複合機１００では、多数にわたる設定可能な機能を有し、多様な設定項目がある。そして、液晶表示部１１は、複数の設定項目のうちから設定を行う設定項目を選び出すための選択画面Ｔを表示し、使用者は、印刷や送信で用いる設定項目（機能）を選ぶ（押下する）。例えば、液晶表示部１１は、各設定項目をキーとして表示する。又、液晶表示部１１は、選択された設定項目用の各設定画面Ｓを表示する。使用者は各設定画面Ｓに表示されるキーや、液晶表示部１１の周辺に配されたハードキー等を押下して、多種多様な機能選択、設定を行える。尚、設定項目及びその設定画面Ｓの種類はあまりに多数にわたるため、便宜上、例として後述する場合を除き図示を避け、設定できる機能（設定項目）を以下に列挙するに留める。
【００６０】
まず、コピーとして利用する場合（コピーキー１５の押下でコピーモードとなる）、複合機１００には、例えば、原稿の画質（文字、写真、文字＋写真等）、コピー濃度、用紙選択、倍率、エコプリント、とじしろ、センター移動、枠消し、両面／分割（片面→両面、両面→片面、見開き→両面等）、小冊子、表紙付け、原稿セット向き、原稿サイズ、ソート、仕分け、白黒反転、鏡像印刷、ページ付け、イメージ合成、集約（２ｉｎ１、４ｉｎ１等）、余白追加、連続読込一括印刷、試しコピー、再コピー、ステープル、パンチ等の設定項目が用意される。使用者は、液晶表示部１１に表示される各設定項目の設定画面Ｓへの入力により、設定項目内の設定値を設定する。
【００６１】
次に、複合機１００をスキャナとして利用する場合（送信キー１６の押下で複合機１００をスキャナとして利用できる）、例えば、複合機１００には、原稿サイズ、送信サイズ、解像度、原稿セット向き、保存ファイル形式、画質（濃度、カラーモード、圧縮率、写真や文字等の原稿の画質等）、分割、枠消し、ページ毎出力、連続読み込み、ファイル名入力、センター移動、送信先選択、送信先登録、パスワード、Ｅメール送信、相手方受信確認等の設定項目が用意される。使用者は、液晶表示部１１に表示される各設定項目の設定画面Ｓへの入力により、設定項目内の設定値を設定する。
【００６２】
次に、複合機１００をＦＡＸとして利用する場合（送信キー１６の押下で複合機１００をスキャナとして利用できる）、例えば、複合機１００には、自局情報登録（ＦＡＸ番号、ＩＤ等）、ダイレクト送信、メモリ送信、回転通信、一括送信、Ｆコード通信、用紙切れ時受信、短縮番号、原稿濃度、原稿サイズ、送信先選択、送信先登録、リダイヤル、両面送信、拡大・縮小送信、予約送信、割込送信、時刻指定通信、ポーリング通信、中継送信、受信画像データの転送、暗号通信、通信結果通知、用紙サイズ確認、集約（２ｉｎ１等）、両面受信等の設定項目が容易される。使用者は、液晶表示部１１に表示される各設定項目の設定画面Ｓへの入力により、設定項目内の設定値を設定する。
【００６３】
ここで、例えば、用紙の消費を抑えるため、集約と両面が組み合わせて設定される場合や、画像読取部３で読み取って得られた画像データの送信方法と送信先など、使用者が複合機１００を利用する上で、頻繁に組み合わせられる設定項目が存在する。ところが、上記のように、複合機１００の有する設定項目（機能）は多岐にわたり、複合機１００を利用するたびに、同様の設定を行うことは煩わしく、利便性が悪い。
【００６４】
そこで、本実施形態の複合機１００では、予め頻繁に用いる設定項目の組み合わせを予め選択、作成し、設定項目の組み合わせをワークフローとして記憶させることができる（詳細は後述）。そして、使用者は、記憶装置９２に記憶されたワークフロー（予め選択した設定項目や表示順や表示形式を示すデータを含むプログラム）を呼び出すと、予め選択した設定項目について設定するための画面が液晶表示部１１に表示される。
【００６５】
例えば、使用者は、予め登録されたワークフローを呼び出す場合、ワークフローキー１７（図３参照）を押下する。そうすると、図５に示すように、予め登録されたワークフローのうち、用いる（呼び出す）ワークフローを選択するための呼出画面Ｗ１が液晶表示部１１に表示される。例えば、図５では、「きれいにコピー」、「節約コピー」、「かんたんＦＡＸ」、「かんたんメール」、「かんたんフォルダ」、「資料作成」と名付けられたワークフローが表示される。そして、各ワークフローを示す画像を押下することで、押下されたワークフローが記憶装置９２やメモリ１８から呼び出され、液晶表示部１１にワークフローによる設定のための画面が表示される。
【００６６】
又、呼出画面Ｗ１の下方には、新たにワークフローを作成する場合や既に登録されたワークフローの編集を行う際に押下される登録／編集キーＫ１が配される。又、ワークフローの呼び出しを止めるためのキャンセルキーＫ２も配される。又、図５で示すように１画面中に表示できるワークフローには限りがある。そこで、次キーＫ３を押下すると、次ページの呼出画面Ｗ１に切り替わり、異なるワークフローを示す画像が表示される。又、前キーＫ４を押下すると、前ページの呼出画面Ｗ１に切り替えられる。
【００６７】
次に、ワークフローを呼び出した際の表示、設定を説明する。尚、ワークフローを呼び出した際、設定のための画面の表示形式としては、ウィザード表示形式、メニュー表示形式、一覧表示形式が用意される。いずれの表示形式で表示するかは、例えば、ワークフローの登録時等に設定することができる。そこで、表示形式ごとにワークフローの呼び出した際の概要を説明する。
【００６８】
［ウィザード表示形式］
まず、図６を用いて、ワークフローでのウィザード表示形式を説明する。例えば、図６は、コピーに関するワークフローであり、図５における「資料作成」のワークフローを呼び出した際のウィザード形式でのワークフローの一例を示している。
【００６９】
図６に示すワークフローは、例えば、「両面／分割」と「ステープル」と「ページ番号付け」の設定項目が含まれるように作成、登録されている。又、ワークフローは、「両面／分割」の設定画面Ｓ１→「ステープル」の設定画面Ｓ２→「ページ番号付け」の設定画面Ｓ３の順に、各設定項目の設定画面Ｓを表示するように作成、登録されている。尚、図６での黒線矢印は、表示順を示す。
【００７０】
各設定画面Ｓでは、前キーＫ５と次キーＫ６がそれぞれ配される。前キーＫ５が押下されると、液晶表示部１１は、１つ前の設定項目の設定画面Ｓを表示する。又、次キーＫ６が押下されると、液晶表示部１１は、１つ先の設定項目の設定画面Ｓを表示する。使用者は、各設定画面Ｓ内に配された設定用のキーを押下することで、各設定項目での設定値を設定することができる。例えば、図６に示すように、押下された設定用のキーは白黒反転（黒背景に白文字）状態で表示される。
【００７１】
尚、ワークフローの作成、登録時には、各設定画面Ｓを表示する際、選択、設定されている設定値のデフォルト値を定めておくことができる。このデフォルト値は、ワークフローの一部として記憶装置９２に記憶される。例えば、両面／分割で「片面→両面」をデフォルト値とするように、ワークフローが作成された場合、初めて設定画面Ｓ１が表示された際、図６に示すように、片面→両面キーＫ７が、既に選択されている状態として液晶表示部１１に表示される。
【００７２】
そして、ワークフローとして予め登録された５つの設定項目について全て設定が完了し「ページ番号付け」の設定画面Ｓ５で次キーＫ６を押下すると、設定一覧Ｗ３が表示される。この設定一覧Ｗ３には、ワークフローに含まれる各設定項目と、各設定項目における設定値が表示される。又、設定一覧Ｗ３では、実行開始キーＫ８と設定変更キーＫ９が表示される。実行開始キーＫ８を押下すると、操作パネル１から制御部９に、設定一覧Ｗ３に示される内容が送られ、制御部９は把握した内容で複合機１００を制御し、コピーが行われる。設定変更キーＫ９が押下されると、例えば、再び、「両面／分割」の設定画面Ｓ１が表示され、使用者は、ワークフローに含まれる設定項目について再度設定を行える。
【００７３】
［メニュー表示形式］
次に、図７を用いて、ワークフローでのメニュー表示形式を説明する。例えば、図７は、図５における「資料作成」のワークフローを呼び出した際のメニュー表示形式でのメニュー画面Ｗ２の一例を示している。
【００７４】
図７に示すように、メニュー表示形式では、例えば、「資料作成」のワークフローを呼び出すと「両面／分割」のメニュー画像ｉｍ１、「ステープル」のメニュー画像ｉｍ２、「ページ番号付け」のメニュー画像ｉｍ３が表示される。従って、選択されるワークフローによって、メニュー画面Ｗ２に表示されるメニュー画像が異なることになる。そして、それぞれのメニュー画像ｉｍには、デフォルトの設定値や別途設定した際の設定値も表示される。このように、メニュー表示形式では、ワークフローに含まれる設定項目がメニューとして表示される。
【００７５】
使用者は、設定値を変更したい設定項目のメニュー画像ｉｍを押下する。これにより、液晶表示部１１の表示は、例えば、図６に示したような、設定項目ごとの設定画面Ｓに切り替わる。そして、設定画面Ｓでの設定が完了すると、液晶表示部１１の表示は、図７に示すメニュー画面Ｗ２に再び切り替わる。
【００７６】
又、メニュー画面Ｗ２には、ＯＫキーＫ１０とキャンセルキーＫ１１が配される。ＯＫキーＫ１０が押下されると、図６に示した設定一覧Ｗ３が液晶表示部１１に表示される。設定一覧Ｗ３の詳細は、図６を用いて説明した場合と同様でよく、説明を省略する。一方、キャンセルキーＫ１１が押下されると、ワークフローを用いた設定がキャンセルされる。
【００７７】
［一覧表示形式］
次に、図６を用いて、ワークフローでの一覧表示形式を説明する。この一覧表示形式では、図５の呼出画面Ｗ１で使用するワークフローを選択すると、いきなり、図６に示した設定一覧Ｗ３が液晶表示部１１に表示される。設定一覧Ｗ３の詳細は、図６を用いてウィザード表示形式で説明した場合と同様でよいので、説明を省略する。
【００７８】
このように、表示入力装置（操作パネル１）の表示部（液晶表示部１１）は、プログラムが呼び出された際、プログラムに含められた各設定項目を対話型で順次表示するウィザード表示形式、プログラムに含められた各設定項目を並列させて一覧表示する一覧表示形式、又は、プログラムに含められた各設定項目を示す画像を（一画面に）表示するメニュー形式表示の何れかの表示形式で表示する。
【００７９】
（ワークフローの作成、登録）
次に、図８〜図１２を用いて、本発明の第１の実施形態に係る複合機１００でのワークフローの作成、登録の概要を説明する。図８は、本発明の第１の実施形態に係る複合機１００でのワークフローの作成、登録の流れの一例を示すフローチャートである。図９は、コピーに関するワークフロー作成における設定項目の選択画面Ｔの一例を示す説明図である。図１０は、送信に関するワークフロー作成における設定項目の選択画面Ｔの一例を示す説明図である。図１１は、作成されたワークフローの名称入力画面Ｗ４の一例を示す説明図である。図１２は、ワークフローを呼び出す際の表示形式を定めるため表示形式決定画面Ｗ５の一例を示す説明図である。
【００８０】
まず、図８におけるスタートは、例えば、ワークフローキー１７が押下され、呼出画面Ｗ１で、登録／編集キーＫ１（図５参照）が押下された場合等、ワークフローの新規登録が開始された時点である。言い換えると、操作パネル１のモードが、コピー等の設定を行う通常の入力モードから、ワークフロー登録モードに移行した時点である。次に、操作パネル１は、作成するワークフローに含める設定項目を選択する入力を受け付ける（ステップ♯１）。そして、表示制御部１０や制御部９は、選択された設定項目を認識する。
【００８１】
［設定項目の選択］
ここで、図９及び図１０を用いて、ワークフローに含める設定項目の選択の一例を説明する。
【００８２】
まず、図９を用いて、コピーに関するワークフローを作成する場合の設定項目の選択を説明する。図９に示すように、液晶表示部１１は、例えば、図８に示すスタートの後、コピーキー１５が押下されると、コピーの機能に関する設定項目の選択画面Ｔ１を表示する。液晶表示部１１は、選択画面Ｔ１内に、原稿／用紙／仕上げタブＴＢ１、画質タブＴＢ２、レイアウト／編集タブＴＢ３、応用／その他タブＴＢ４といった複数のタブを表示する。尚、タブは、更に複数種設けられてもよい。
【００８３】
例えば、原稿／用紙／仕上げタブＴＢ１が押下されると、液晶表示部１１は、図９（ａ）に示すように、原稿／用紙／仕上げに関する設定項目を表示する。設定項目は、キーとして配される。例えば、原稿／用紙／仕上げタブＴＢ１を押下すると、読み取る原稿のサイズを設定するための原稿サイズキーＫ１２や、印刷に用いる用紙を設定するための用紙選択キーＫ１３や、ステープル処理に関して設定するためのステープルキーＫ１４や、パンチ処理に関して設定するためのパンチキーＫ１５等が配される（他の設定項目のキーにも設定内容が割り振られるが、説明は割愛）。
【００８４】
又、例えば、レイアウト／編集タブＴＢ３を押下すると、図９（ｂ）に示すように、コピーでのページや画像のレイアウトや編集に関する設定項目が表示される。そして、この選択画面Ｔでも、設定項目は、キーとして配される。例えば、レイアウト／編集タブＴＢ３を押下すると、拡大や縮小等、画像の倍率を設定するための拡大／縮小キーＫ１６や、両面印刷や、両面印刷済みの原稿や見開き印刷された原稿の各ページの分割印刷を設定するための両面／分割キーＫ１７や、複数枚の原稿を１ページに収める複写に関し設定するための集約キーＫ１８や、コピーの各用紙に対しページ番号付けに関し設定するためのページ番号付けキーＫ１９が配される（他の設定項目のキーにも設定内容が割り振られるが、説明は割愛）。
【００８５】
又、画質タブＴＢ２が押下されると、液晶表示部１１は、画質に関する設定項目（例えば、濃度設定）に対応するキーを表示する。又、応用／その他タブＴＢ４が押下されると、液晶表示部１１は、コピーに関する応用的な設定項目（例えば、鏡像印刷や白黒反転印刷等）をキーとして表示する。
【００８６】
次に、図１０を用いて、送信に関するワークフローを作成する場合の設定項目の選択を説明する。図１０に示すように、液晶表示部１１は、例えば、図８に示すスタート後、送信キー１６が押下されると、ＦＡＸやスキャン等、原稿の読み取りにより得られた画像データの送信の機能に関する設定項目の選択画面Ｔ２（図１０参照）が表示される。
【００８７】
例えば、図１０に示すように、液晶表示部１１は、送信用の選択画面Ｔ２内に、宛先タブＴＢ５、原稿／送信形式タブＴＢ６、カラー／画質タブＴＢ７、応用／その他タブＴＢ８といった複数のタブを表示する。尚、タブは、更に複数種設けられてもよい。
【００８８】
例えば、各設定項目は、キーとして配される。図１０に示すように、原稿／送信形式タブＴＢ６が押下されると、読み取る原稿や画像データの送信形式に関する設定項目が表示される。そして、液晶表示部１１は、読み取る原稿のサイズを設定するための原稿サイズキーＫ２０や、送信する画像データのサイズを設定するための送信サイズキーＫ２１や、送信する画像データの形式（例えば、ＰＤＦやＴＩＦＦ）等を設定するためのファイル形式キーＫ２２等が配される（他の設定項目のキーにも設定内容が割り振られるが説明は割愛）。
【００８９】
これら選択画面Ｔ（Ｔ１、Ｔ２等）で設定項目の設定が行われると、表示制御部１０は選択された設定項目内の設定値を設定するための設定画面Ｓを表示する（ステップ♯２）。そして、表示制御部１０は設定画面Ｓで使用者によって設定された設定値（押下された設定値を示すキー）をデフォルトの設定値として把握する（ステップ♯３）。
【００９０】
例えば、図９（ｂ）に示す選択画面Ｔ１で、両面／分割キーＫ１７を押下する。そうすると、液晶表示部１１は、図６の左端上部に示すような両面／分割印刷用の設定画面Ｓ１を表示する。又、液晶表示部１１は、両面／分割キーＫ１７の設定画面Ｓ１では、両面印刷や分割印刷の態様を定めるためのキーを複数表示する。
【００９１】
このような、各設定項目の選択と、選択に伴い表示される設定画面Ｓでのデフォルトの設定値の設定の後、表示制御部１０は、設定項目の選択が終了したかを確認する（ステップ♯４）。具体的には、例えば、表示制御部１０はワークフローに含める設定項目の選択を終了する旨の入力が行われたかを確認する。ワークフローに含める設定項目の選択を終了する旨の入力は、複数種とできる。例えば、設定項目の選択画面Ｔでのスタートキー１４の押下やワークフローキー１７の押下等、任意に定めることができる。
【００９２】
もし、ワークフローに含める設定項目の選択が終了していなければ（ステップ♯４のＮｏ）、設定項目の追加がなされるので、例えば、ステップ♯１に戻る。一方、ワークフローに含める設定項目の選択が終了すれば（ステップ♯４のＹｅｓ）、表示制御部１０は、図１１に示すようなソフトキーボードのワークフローの名称入力画面Ｗ４を表示させる。
【００９３】
例えば、使用者は、名称入力画面Ｗ４内のソフトキーボードを入力し、かな、漢字、アルファベット等でワークフローの名称を付ける入力を行っていく（ステップ♯５）。表示制御部１０は、使用者によるソフトキーボードへの入力に従って、名称表示欄Ｗ４１の表示を変化させる。そして、例えば、表示制御部１０は、次キーＫ２３が押下されたときの名称表示欄Ｗ４１に示された内容を作成中のワークフローに付ける名称と把握する。
【００９４】
更に、表示制御部１０は、作成したワークフローが呼び出されたときの表示形式を定めるための表示形式決定画面Ｗ５を表示し、使用者は、ワークフローの表示形式を選択する（ステップ♯６）。例えば、表示制御部１０は、図１２に示すような表示形式決定画面Ｗ５を表示させる。
【００９５】
例えば、使用者は、表示形式決定画面Ｗ５で、メニュー形式キーＫ２４（メニュー表示形式）、ショートカット方式キーＫ２５（一覧表示形式）、ウィザード形式キーＫ２６（ウィザード表示形式）の何れかのキーを押下する。表示制御部１０は、次キーＫ２７が押下されたときに選ばれたキーに対応する表示形式を作成中のワークフローの表示形式と把握する。
【００９６】
その後、記憶装置９２又はメモリ１８は、作成されたワークフローを記憶することにより、ワークフローが登録される（ステップ♯１０→エンド）。例えば、表示制御部１０は、ワークフローの名称、表示形式、含まれる設定項目、設定項目の表示順（ワークフロー作成時の設定項目の選択順と一致）、設定項目内のデフォルトの設定値等を示すデータを制御部９に送信し、記憶装置９２や、メモリ１８がプログラムとして記憶する。この後、操作パネル１は、ワークフロー登録モードから通常の入力モードに復帰する（エンド）
【００９７】
（ヘルプ機能）
次に、図１３を用いて、本発明の第１の実施形態に係る複合機１００でのヘルプ機能の一例を説明する。図１３は、ワークフローを呼び出した際に表示されるヘルプ画面Ｈの一例を示す説明図である。
【００９８】
本実施形態の複合機１００は、ヘルプ機能を搭載する。具体的には、操作パネル１の液晶表示部１１の一部にヘルプキーＫＨが表示される。本実施形態の複合機１００では、液晶表示部１１の右上隅部分にヘルプキーＫＨが表示される（各図参照）。尚、本実施形態では、ヘルプキーＫＨは、ソフト的に液晶表示部１１に表示される場合を例に挙げて説明するが、操作パネル１の液晶表示部１１の周囲に、ワークフローキー１７などのように、ハードのキーとして設けられてもよい。
【００９９】
このヘルプキーＫＨが押下されると、液晶表示部１１は、各画面での操作のヘルプ画面Ｈを表示する。例えば、ある設定項目（機能）の設定画面ＳでヘルプキーＫＨが押下されると、液晶表示部１１は、設定項目の内容や設定画面Ｓに配された各キーの内容や設定方法を表示する。このヘルプキーＫＨを用いたヘルプ機能によって、使用者は、機能の内容確認や設定方法を詳しく知ることができる。
【０１００】
そこで、図１３を用い、ヘルプ画面Ｈの一例を示す。図１３は、図５に示す「資料作成」のワークフローを呼び出し、ページ番号付けの設定項目の設定画面Ｓ１でヘルプキーＫＨが押下された際に表示されるヘルプ画面Ｈの一例である。
【０１０１】
例えば、図１３に示すように、ヘルプキーＫＨが押下されると、液晶表示部１１は、今まで表示していた設定画面Ｓや選択画面Ｔの上層にヘルプ画面Ｈを表示する。このヘルプ画面Ｈには、図１３に示すように、設定項目の作用や、設定項目の具体的な内容や、どのような設定ができるか、設定手順等、使用者理解を補助する内容が含まれる。尚、図１３では、テキストによる説明の場合を示しているが、解説のための図形等も併せて表示されてもよい。
【０１０２】
このようなヘルプ画面Ｈは、設定項目や説明すべき設定方法や操作方法ごとに用意される。又、ヘルプ画面Ｈを表示するためのデータは、例えば、操作パネル１のメモリ１８（記憶装置９２でもよい）が記憶する。従って、ワークフローに含まれる設定項目により、各ワークフローを呼び出した際に表示されるヘルプ画面Ｈが異なることになる。
【０１０３】
又、１つの説明内容（設定項目等）について、１ページ分のヘルプ画面Ｈだけでは表示しきれない場合がある。その場合、１つの説明内容について複数ページ分のヘルプ画面Ｈが用意される。例えば、ページ番号付けの設定項目の場合、４ページ分のヘルプ画面Ｈが用意される。例えば、全ページ数と現在の表示ページは、図１３に示すように、ヘルプ画面Ｈの右上隅に表示される。
【０１０４】
又、ヘルプ画面Ｈのページの切り替えのため、ヘルプ画面Ｈの下方に次ページキーＫ２８と前ページキーＫ２９が配される。これらのキーが押下されると、液晶表示部１１は、現在表示しているページの隣のページのヘルプ画面Ｈに切り替える。又、次ページキーＫ２８の隣には、閉じるキーＫ３０が配され、閉じるキーＫ３０が押下されると、液晶表示部１１は、ヘルプ画面Ｈの表示をやめる。
【０１０５】
（確認画面Ｃの表示）
次に、図１４を用いて、本発明の第１の実施形態に係るワークフローでヘルプ画面Ｈを参照した際に表示される確認画面Ｃの一例を説明する。図１４は、本発明の第１の実施形態に係るワークフローでヘルプ画面Ｈを参照した際に表示される確認画面Ｃの一例を示す説明図である。
【０１０６】
まず、本説明でも、図５や図６を用いて説明した「資料作成」のワークフローを呼び出した時を例に挙げる。この「資料作成」のワークフローを呼び出すと、次キーを押していくことで、ウィザード形式であれば、「両面／分割」の設定画面Ｓ１→「ステープル」の設定画面Ｓ２→「ページ番号付け」の設定画面Ｓ３の順に表示される。言い換えると、一連の設定画面Ｓが連続して表示される。
【０１０７】
そして、上述したように、使用者は、「資料作成」のワークフローを呼び出した際の各設定画面ＳでヘルプキーＫＨを押下して、ヘルプ画面Ｈを表示させることができる。例えば、他人が作成したワークフローを用いた際、ワークフローに未知の設定項目が含まれている場合などが考えられる。
【０１０８】
ここで、本説明では、「資料作成」のワークフローで、ステープルとページ番号付けの設定項目でヘルプ画面Ｈが参照されたとする。そして、記憶装置９２やメモリ１８は、ヘルプ画面Ｈが表示され、ヘルプ機能が用いられ、ヘルプ画面Ｈが参照された設定項目を記憶する。尚、以下では、便宜上、ヘルプ画面Ｈが参照された設定項目を「参照設定項目」という。本説明の例で具体的に言えば、記憶装置９２やメモリ１８は、「ステープル」と、「ページ番号付け」の設定項目を参照設定項目として記憶する。
【０１０９】
そして、本実施形態の複合機１００では、ヘルプ画面Ｈが参照された場合、ワークフローに含まれる設定項目を設定し終えると表示される設定一覧Ｗ３（図６参照）で実行開始キーＫ８が押下されると、確認画面Ｃが表示される。
【０１１０】
例えば、ステープルの設定項目はヘルプ画面Ｈが参照された参照設定項目なので、図１４の上方の図に示すように、液晶表示部１１は、ステープルの設定が現在の設定のままでよいかを確認するための確認画面Ｃ１を表示する。液晶表示部１１は、確認画面Ｃ１で現在の設定値を示す。図１４の上方の図では、液晶表示部１１が、現在のステープルの設定は「右２点（止め）」であることを画面右半分にメッセージＭ１として表示する例を示している。
【０１１１】
又、液晶表示部１１は、確認画面Ｃ１で、現在の設定で処理が行われた際の仕上がりのイメージを表示する。図１４の上方の図では、液晶表示部１１が、現在のステープルの設定の「右２点（止め）」の処理が施された場合の仕上がりイメージｉ１を画面左半分に表示する例を示している。
【０１１２】
又、図１４の上方の図で示すように、液晶表示部１１は、例えば、確認画面Ｃ１の右下に、再設定ボタンＢ１とスタートボタンＢ２を表示する。使用者は、現在の設定のメッセージＭ１や、仕上がりイメージｉ（ｉ１、ｉ２）をみて、「仕上がりが想定していた（考えていた）ものと異なる」、と気づくこともある。そのため、再設定ボタンＢ１は設けられる。再設定ボタンＢ１が押下されると、液晶表示部１１は、図６の上段右に示すような、ステープルの設定画面Ｓを表示する。そして、使用者は再設定（設定の修正）を行える。従って、確認画面Ｃから直接、再設定を行うための設定画面Ｓに飛ぶことができる。一方、スタートボタンＢ２は、設定に問題がない場合、押下される。
【０１１３】
又、例えば、ステープルの設定項目に加え、ページ番号付けのヘルプ画面Ｈが参照されている。言い換えると、「ページ番号付け」の設定項目は、参照設定項目である。そこで、確認画面Ｃ１でスタートボタンＢ２が押下された後、図１４の下方の図に示すように、液晶表示部１１は、更に、ページ番号付けの設定が現在の設定のままでよいかを確認するための確認画面Ｃ２を表示する。
【０１１４】
液晶表示部１１は、確認画面Ｃ２で現在の設定値を示す。図１４の下方の図では、液晶表示部１１が、現在のページ番号付けの設定は「−１−」の態様で、付す位置が「中央下」であること等を画面右半分にメッセージＭ２として表示する例を示している。
【０１１５】
このように、ワークフローでヘルプ画面Ｈが参照された設定項目（参照設定項目）ごとに確認画面Ｃ（例えば、Ｃ１、Ｃ２）が表示される。これにより、設定にミスがあるか否かを設定項目ごとに確認することができる。
【０１１６】
又、液晶表示部１１は、確認画面Ｃ２で、現在の設定で処理が行われた際の仕上がりのイメージを表示する。図１４の下方の図では、液晶表示部１１が、「-1-」の態様で、中央下の位置にページ番号付けの処理が施された場合の仕上がりイメージｉ２を画面左半分に表示する例を示している。
【０１１７】
又、図１４の下方の図で示すように、液晶表示部１１は、例えば、確認画面Ｃ２の右下にも、再設定ボタンＢ１とスタートボタンＢ２を表示する。再設定ボタンＢ１が押下されると、液晶表示部１１は、図６の下段右に示したページ番号付けの設定画面Ｓを表示する。そして、使用者は再設定（設定の修正）を行える。一方、スタートボタンＢ２は、設定に問題がない場合、押下される。尚、本説明は、ヘルプ画面Ｈが参照された設定項目が２つである場合を説明しているので、確認画面Ｃ２でスタートボタンＢ２が押下されると、コピー（印刷）のジョブが開始される。
【０１１８】
尚、ワークフローには、両面／分割の設定項目が含まれる。そこで、図１４の下方の図に示すように、仕上がりイメージｉ２は、全ての処理を施した状態を示してもよい。そのため、例えば、液晶表示部１１は、確認画面Ｃ１と確認画面Ｃ２の両方で、図１４の上方の図の仕上がりイメージｉ１と下方の図の仕上がりイメージｉ２を切り替えるアニメーション表示を行ってもよい。又、確認画面Ｃで確認しようとする設定項目の処理のみが施された仕上がりイメージｉが示されてもよい。
【０１１９】
又、確認画面Ｃは、各設定項目に対し用意され、確認画面Ｃを表示するための画像データ（仕上がりイメージｉ用の画像データや、メッセージＭ用のデータ）は、例えば、操作パネル１のメモリ１８（記憶装置９２でもよい）に記憶される。表示制御部１０は、確認画面Ｃを表示させる際、メモリ１８等からデータを得て、液晶表示部１１に表示させる。従って、液晶表示部１１は、ヘルプ画面Ｈが参照された設定項目の内容に応じた確認画面Ｃを表示できる。
【０１２０】
（確認画面Ｃの表示制御）
次に、図１５に基づき、本発明の第１の実施形態に係る確認画面Ｃの表示制御の一例を説明する。図１５は、本発明の第１の実施形態に係る確認画面Ｃの表示制御の一例を示すフローチャートである。
【０１２１】
まず、図１５におけるスタートは、ワークフローキー１７が押下され、呼び出し画面でワークフローが選ばれる等によって、ワークフローが記憶装置９２やメモリ１８から呼び出された時点である。
【０１２２】
このとき、表示制御部１０は、ワークフローに含まれる設定項目のいずれかの設定画面ＳでヘルプキーＫＨが押下されたかを確認する（ステップ♯１）。もし、ヘルプキーＫＨが押下されると（ステップ♯１のＹｅｓ）、表示制御部１０は、ヘルプ画面Ｈを液晶表示部１１に表示させる（ステップ♯２）。更に、記憶装置９２やメモリ１８がヘルプ画面Ｈを参照した設定項目を参照設定項目として記憶する（ステップ♯３）。
【０１２３】
そして、ヘルプキーＫＨの押下がない場合（ステップ♯１のＮｏ）や、ステップ♯３の後、表示制御部１０は、ワークフローでの設定項目の設定が完了したかを確認する（ステップ♯４）。具体的には、表示制御部１０は、設定一覧Ｗ３の実行開始キーＫ８が押下されたかを確認する。もし、実行開始キーＫ８（図６参照）が押下されていなければ（ステップ♯４のＮｏ）、ワークフローでの設定が続けられ、ステップ♯１に戻る。尚、ステップ♯１〜ステップ♯４のループの間に、設定画面Ｓの切り替えや設定値の設定等のワークフローを用いた設定がなされる。
【０１２４】
一方、実行開始キーＫ８が押下されれば（ステップ♯４のＹｅｓ）、表示制御部１０は、ヘルプキーＫＨが押下され、参照設定項目があるかを確認する（ステップ♯５）。言い換えると、表示制御部１０は、記憶装置９２やメモリ１８を確認し、ヘルプ画面Ｈが表示され、参照された履歴を確認する。
【０１２５】
もし、ヘルプ画面Ｈが全く参照されていなければ（参照設定項目がなければ）（ステップ♯５のＮｏ）、制御部９は、画像形成部６や画像形成部６等を制御し、ワークフローの設定に基づくジョブが開始される（ステップ♯６）。ジョブが開始されると、確認画面Ｃの表示のための制御は完了する（エンド）。
【０１２６】
一方、参照設定項目があれば（ステップ♯５のＹｅｓ）、表示制御部１０は、液晶表示部１１に参照設定項目の確認画面Ｃを表示させる（ステップ♯７）。そして、上述したように、液晶表示部１１は、確認画面Ｃに仕上がりイメージｉや現在の設定のメッセージＭ等を表示する。即ち、表示部（液晶表示部１１）は、確認画面Ｃに、少なくとも、参照設定項目の処理が施された場合の仕上がりを示すイメージ画像（仕上がりイメージｉ）を表示する。又、表示部は、確認画面Ｃに参照設定項目の現在の設定を示すメッセージＭを表示する（図１４参照）。
【０１２７】
そして、表示制御部１０は、確認画面Ｃで再設定ボタンＢ１が押下されたかを確認する（ステップ♯８）。もし、再設定ボタンＢ１が押下されれば（ステップ♯８のＹｅｓ）、表示制御部１０は、確認画面Ｃに対応する設定項目の設定画面Ｓを液晶表示部１１に表示させる（ステップ♯９）。即ち、表示部（液晶表示部１１）は、確認画面Ｃに参照設定項目の設定をやり直すための再設定ボタンＢ１を表示し、入力部（タッチパネル部１２等）への入力により再設定ボタンＢ１が選択されると、参照設定項目の設定画面Ｓを表示する。
【０１２８】
そして、表示制御部１０は、設定画面Ｓでの設定が完了したかを確認し続ける（ステップ♯１０、ステップ♯１０のＮｏの場合、ステップ♯９に戻る）。例えば、表示制御部１０は、参照設定項目の設定画面Ｓでのスタートキー１４の押下等があれば、設定画面Ｓでの設定が完了したと判断する。
【０１２９】
もし、設定画面Ｓでの設定が完了すれば（ステップ♯１０のＹｅｓ）、表示制御部１０は、設定画面Ｓでの再設定（修正）にあわせて確認画面Ｃの表示を切り替えるため、再設定の内容に応じて、確認画面Ｃ用の画像データをメモリ１８から読み出す（ステップ♯１１）。そして、例えば、ステップ♯７に戻る。
【０１３０】
一方、再設定ボタンＢ１が押下されていない場合（ステップ♯８のＮｏ）、表示制御部１０は、確認画面ＣでスタートボタンＢ２が押下されたかを確認する（ステップ♯１２）。もし、スタートボタンＢ２が押下されていなければ（ステップ♯１２のＮｏ）、ステップ♯７に戻ればよい。一方、スタートボタンＢ２が押下されたのであれば（ステップ♯１２のＹｅｓ）、表示制御部１０は、全ての確認画面Ｃを表示したかを確認する（ステップ♯１３）。
【０１３１】
もし、ワークフローでヘルプ画面Ｈが参照された設定項目の全てについて、確認画面Ｃをすでに表示していれば（ステップ♯１３のＹｅｓ）、ジョブの実行が開始される（ステップ♯６）。一方、ワークフローでヘルプ画面Ｈが参照された設定項目の全てについて、確認画面Ｃをまだ表示していなければ（ステップ♯１３のＮｏ）、表示制御部１０は、表示する確認画面Ｃを切り替えるため、次の確認画面Ｃ用の画像データをメモリ１８から読み出す（ステップ♯１４）。その後、ステップ♯７に戻る。
【０１３２】
このようにして、第１の実施形態の発明では、画像形成装置（例えば、複合機１００）は、画像を形成する画像形成部６と、表示を行う表示部（液晶表示部１１）と、予め複数の機能の設定項目の中から選択され、登録された設定項目の組み合わせであり、呼び出すことにより予め選択、登録された設定項目を設定するための設定画面Ｓを表示部に表示させるプログラム（ワークフロー）を記憶する記憶部（記憶装置９２やメモリ１８）と、設定項目の設定や、ジョブの開始指示を受け付ける入力部（タッチパネル部１２等）と、押されることにより設定項目の設定のヘルプ画面Ｈを表示部に表示させるためのヘルプキーＫＨと、備え、呼び出されたプログラムによる設定において、ヘルプキーＫＨが押された場合、表示部は、入力部に対しジョブの開始指示がなされた後、ヘルプキーＫＨが押されてヘルプ画面Ｈが参照された設定項目である参照設定項目の処理がなされる前に、参照設定項目の現在の設定で処理を行ってよいか確認するための確認画面Ｃを表示する。
【０１３３】
参照設定項目の処理がなされる前に、参照設定項目の現在の設定で処理を行ってよいか確認するための確認画面Ｃが表示される。これにより、ジョブの実行に際し、使用者は、参照設定項目の設定内容を確認することができる。従って、使用者は設定ミスがあるか否かを確認することができる。又、設定ミスのままジョブが行われるというミスもなくすことができる。
【０１３４】
又、確認画面Ｃに参照設定項目の設定をやり直すための再設定ボタンＢ１が表示され、再設定ボタンＢ１が選択されると、参照設定項目の設定画面Ｓが表示される。これにより、使用者は、確認画面Ｃで設定ミスを確認した場合、直ちに参照設定項目の再設定を行うことができる。従って、設定を最初からやり直したり、プログラム（ワークフロー）の流れをさかのぼり、目的とする参照設定項目の設定画面Ｓにたどり着くための入力を行ったりするといった手間、時間が必要なく、参照設定項目の再設定を簡易に行うことができる。
【０１３５】
又、確認画面Ｃに、少なくとも、参照設定項目の処理が施された場合の仕上がりを示すイメージ画像（仕上がりイメージｉ）が表示される。これにより、使用者は、実際の仕上がりを視認することができる。従って、設定ミスがあるか否かを視覚的に判断することができ、設定ミスの有無の判断が容易になる。
【０１３６】
又、ヘルプ画面Ｈが参照された場合、使用者は参照設定項目の内容に精通していないものであり、参照設定項目でいかなる設定を行ったか、記憶しづらいものであるところ、この構成によれば、確認画面Ｃに参照設定項目の現在の設定を示すメッセージＭが表示される。これにより、使用者は、現在の設定内容を文字の情報により確認することができる。従って、使用者は、設定ミスがあるか否かを判断できる。
【０１３７】
（第２の実施形態）
次に、図１６を用いて、本発明の第２の実施形態を説明する。図１６は、本発明の第２の実施形態に係る表示制御の一例を示すフローチャートである。
【０１３８】
本実施形態の複合機１００は、後処理装置２での処理のステープルに関し、ストックが完了してから確認画面Ｃを表示する点で異なるのみであり、複合機１００の構成や他の部分に関しては第１の実施形態と同様でよい。そこで、第１の実施形態と第２の実施形態と共通する部分については、説明、図示を省略する。
【０１３９】
まず、本実施形態では、第１の実施形態と同様に、ワークフローを呼び出して設定した際、両面印刷やページ番号付け等の後処理装置２での処理以外の設定項目については、実際に印刷が開始される前に確認画面Ｃが表示される。なお、本説明では、ステープルの設定項目を含むワークフローが呼び出され、設定がなされた場合を例に挙げて説明する。
【０１４０】
そこで、図１６のスタートは、例えば、ステープルの設定項目を含むワークフローを用いて設定がなされ、複数枚の原稿が原稿搬送装置４に載置され、印刷が始まった時点である。そして、制御部９は、用紙センサ５４の出力を確認する等により、後処理装置２で処理する１部分の印刷が完了したかを確認する（ステップ♯２１）。まだ、１部分の印刷が完了していなければ、制御部９は、印刷ジョブを続ける（ステップ♯２２）。そして、ステップ♯２１に戻る。
【０１４１】
例えば、定着部７ｂの上方に定着済み用紙の到達・通過の検知用の用紙センサ５４を設ける（図１参照）。用紙センサ５４は用紙が検知領域内にある場合とない場合で出力が変化する（例えば、ＯＮとＯＦＦが変わる）透過型の光センサを用いることができる。尚、用紙の到達、通過を検知できればよく、用紙センサ５４は機械式のスイッチ等でもよい。
【０１４２】
そして、用紙センサ５４の出力は、例えば、制御部９に入力される（図３参照）。例えば、制御部９は、用紙センサ５４の出力が切り替わった回数をカウントし、１部の印刷済みの用紙束のうち、最終のページの用紙の印刷が行われたことを認識する。あるいは、給紙部５ａで給紙が開始されてから、１枚の用紙の印刷が完了するまでの時間（印刷所要時間）は設計上決まっている。そこで、制御部９は、１部の印刷済みの用紙束のうち、最終のページの用紙を給紙してから、印刷所要時間が経過したことに基づき、最終のページの用紙の印刷が行われたと認識してもよい。
【０１４３】
一方、１部分の印刷が完了すれば（ステップ♯２１のＹｅｓ）、制御部９は、ステープルの設定項目でヘルプ画面Ｈが参照されたかを確認する（ステップ♯２３）。もし、ステープルの設定項目でヘルプ画面Ｈが参照されていなければ（ステップ♯２３のＮｏ）、制御部９は、後処理制御部９に指示して、ステープル処理を行わせる（ステップ♯２４）。そして、ステープル済み排出や残り部数の印刷や、ステープルなどの残りの印刷ジョブが実行され（ステップ♯２５）、本実施形態での確認画面Ｃの表示制御は終了する（エンド）。
【０１４４】
一方、ステープルの設定項目でヘルプ画面Ｈが参照されていれば（ステップ♯２３のＹｅｓ）、制御部９は、給紙部５ａからの給紙や画像形成部６等でのトナー像形成等、印刷を停止させる（ステップ♯２６）。
【０１４５】
そして、表示制御部１０は、液晶表示部１１に、ステープルの設定項目の確認画面Ｃを表示させる（ステップ♯２７）。次に、表示制御部１０は、ステープルの設定項目の確認画面Ｃで再設定ボタンＢ１が押下されたかを確認する（ステップ♯２８）。もし、再設定ボタンＢ１が押下されれば（ステップ♯２８のＹｅｓ）、表示制御部１０は、ステープルの設定項目の設定画面Ｓを液晶表示部１１に表示させる（ステップ♯２９）。そして、表示制御部１０は、設定画面Ｓでの設定が完了したかを確認し続ける（ステップ♯３０、ステップ♯３０のＮｏの場合、ステップ♯２９に戻る）。もし、設定画面Ｓでの設定が完了すれば（ステップ♯３０のＹｅｓ）、表示制御部１０は、設定画面Ｓでの再設定（修正）にあわせて確認画面Ｃの表示を切り替えるため、再設定の内容に応じて、確認画面Ｃ用の画像データをメモリ１８から読み出す（ステップ♯３１）。そして、例えば、ステップ♯２７に戻る。
【０１４６】
一方、再設定ボタンＢ１が押下されていない場合（ステップ♯２８のＮｏ）、表示制御部１０は、確認画面ＣでスタートボタンＢ２が押下されたかを確認する（ステップ♯３２）。もし、スタートボタンＢ２が押下されていなければ（ステップ♯３２のＮｏ）、ステップ♯２７に戻ればよい。一方、スタートボタンＢ２が押下されたのであれば（ステップ♯３２のＹｅｓ）、ステップ♯２４に移行し、後のジョブが実行され、制御が終了する（エンド）。
【０１４７】
このようにして、第２の実施形態の発明では、画像形成装置（複合機１００）は、画像形成部６によって形成された画像が印刷された印刷済み用紙を受け入れ、後処理を行う後処理装置２を備え、プログラム（ワークフロー）には、後処理装置２の機能に関する設定項目が含まれ、参照設定項目が後処理装置２に関する設定項目である場合、画像形成部６は、印刷開始後、後処理装置２が後処理装置２の参照設定項目を実行する前に、画像形成を一時停止し、表示部（液晶表示部１１）は、画像形成部６が一時停止した状態で、後処理装置２の参照設定項目の現在の設定で処理を行ってよいか確認するための確認画面Ｃを表示する。
【０１４８】
画像形成装置（例えば、複合機１００）は、印刷済み用紙を受け入れ、ステープル等の後処理を行う後処理装置２を備えることがある。この後処理装置２では、印刷済み用紙に対し処理を行うので、後処理装置２での処理に関しては、印刷のジョブ開始後に確認を行ってもよい場合がある。そこで、画像形成部６が一時停止した状態で、参照設定項目の現在の設定で後処理装置２の処理を行ってよいか確認するための確認画面Ｃが表示される。これにより、後処理装置２で実際に後処理がなされる直前に、後処理装置２に関する参照設定項目の確認を行うことができる。
【０１４９】
本発明の第１及び第２の実施形態を説明したが、本発明の範囲はこれに限定されるものではなく、発明の主旨を逸脱しない範囲で種々の変更を加えて実施することができる。
【０１５０】
例えば、上記の例では、主に、コピーに関するワークフローを例に挙げて説明したが、画像データの送信に関するワークフローの設定でも本発明を適用することができる。
【産業上の利用可能性】
【０１５１】
本発明は、操作パネル等の表示部と入力部を有する表示入力装置や、画像形成装置に利用可能である。
【符号の説明】
【０１５２】
２      後処理装置                    ６      画像形成部
１１    液晶表示部（表示部）          １８    メモリ（記憶部）
１２    タッチパネル部（入力部）      ９２    記憶装置（記憶部）
１００  複合機（画像形成装置）        Ｂ１    再設定ボタン
Ｃ（Ｃ１、Ｃ２）      確認画面        ＫＨ    ヘルプキー
ｉ（ｉ１、ｉ２）      仕上がりイメージ（イメージ画像）
Ｍ（Ｍ１、Ｍ２）      メッセージ      Ｓ（Ｓ１、Ｓ２、Ｓ３）    設定画面
【図１】
2011223051.tif 000003
【図２】
2011223051.tif 000004
【図３】
2011223051.tif 000005
【図４】
2011223051.tif 000006
【図５】
2011223051.tif 000007
【図６】
2011223051.tif 000008
【図７】
2011223051.tif 000009
【図８】
2011223051.tif 000010
【図９】
2011223051.tif 000011
【図１０】
2011223051.tif 000012
【図１１】
2011223051.tif 000013
【図１２】
2011223051.tif 000014
【図１３】
2011223051.tif 000015
【図１４】
2011223051.tif 000016
【図１５】
2011223051.tif 000017
【図１６】
2011223051.tif 000018